【事件の表示】
　特許第３０８０２６１号「自動演奏装置」の請求項２ないし５に係る特許に対する特許異議の申立てについて、次のとおり決定する。
【結　論】
　特許第３０８０２６１号の請求項２ないし５に係る特許を維持する。
【理　由】
第１ 本件に係る発明
　本件特許第３０８０２６１号(平成１２年６月２３日設定登録、請求項の数５)に係る発明は、その特許請求の範囲に記載された次に掲げるとおりのものである。
「【請求項１】　演奏情報を記憶する記憶手段と、
　所定の時間間隔でテンポ信号を発生するテンポ信号発生手段と、
　テンポの変更開始を指示するテンポ変化指示手段と、
　前記テンポ変化指示手段の指示に応じて前記テンポ信号発生手段の発生するテンポ信号の時間間隔を次第に変化させる処理を行なうテンポ制御手段と、
　自動演奏の開始を指示する演奏開始指示手段と、
　前記演奏開始指示手段からの指示に従い演奏開始時点でのテンポを一時記憶する一時記憶手段と、
　前記演奏開始指示手段からの指示に従って前記テンポ信号に基づいて前記記憶手段から演奏情報を読出し、自動演奏を行う演奏制御手段と、
　前記テンポ信号の時間間隔を自動演奏開始時のテンポ信号の時間間隔に戻すことを指示するテンポ復帰指示手段と、
　前記テンポ復帰指示手段からの指示に従い、前記テンポ制御手段による処理を終了させる制御手段と、
　前記テンポ復帰指示手段からの指示に従い、前記一時記憶手段からテンポ情報を読出し、前記テンポ信号発生手段の発生するテンポ信号の時間間隔を自動演奏開始時のテンポ信号の時間間隔に戻すテンポ復帰手段とを備えた自動演奏装置
　【請求項２】　演奏情報を記憶する記憶手段と、
　所定の時間間隔でテンポ信号を発生するテンポ信号発生手段と、
　テンポの変更開始を指示するテンポ変化指示手段と、
　前記テンポ変化指示手段の指示に応じて前記テンポ信号発生手段の発生するテンポ信号の時間間隔を次第に変化させるテンポ制御手段と、
　前記テンポ変化指示手段からの指示に従いテンポ変化開始時点でのテンポを一時記憶する一時記憶手段と、
　前記テンポ信号に基づいて前記記憶手段から演奏情報を読出し、自動演奏を行う演奏制御手段と、
　前記テンポ信号の時間間隔を前記テンポ制御手段によるテンポ変化処理前のテンポ信号の時間間隔に戻すことを指示するテンポ復帰指示手段と、
　前記テンポ復帰指示手段からの指示に従い、前記テンポ制御手段による処理を終了させる制御手段と、
　前記テンポ復帰指示手段からの指示に従い、前記一時記憶手段からテンポ情報を読出し、前記テンポ信号発生手段の発生するテンポ信号の時間間隔をテンポ変化処理前のテンポ信号の時間間隔に戻すテンポ復帰手段とを備えた自動演奏装置
　【請求項３】　前記演奏制御手段によって制御される自動演奏の進行が所定の区切り位置であるかを判定する判定手段を更に備え、
　前記テンポ復帰指示手段による前記指示がなされたとき、前記判定手段で前記所定の区切り位置が判定されたことに同期して、前記制御手段では前記テンポ制御手段による処理を終了させ、前記テンポ復帰手段では前記テンポ信号の時間間隔を前記自動演奏開始時又は前記テンポ変化処理前のテンポ信号の時間間隔に戻すことを特徴とする請求項１又は２に記載の自動演奏装置
　【請求項４】　テンポ変更演奏時間を設定する設定手段を更に備え、
　前記テンポ制御手段は、前記テンポ信号発生手段の発生するテンポ信号の時間間隔を、前記設定手段で設定されたテンポ変更演奏時間の間で、次第に変化させることを特徴とする請求項１乃至３のいずれかに記載の自動演奏装置
　【請求項５】　前記テンポ信号発生手段が発生するテンポ信号の時間間隔を、リアルタイムでの操作に応じて、増減調整するテンポ増減調整操作手段を更に具える請求項１乃至４のいずれかに記載の自動演奏装置」
　
第２ 特許異議申立の理由及び証拠の概要
　本件特許請求の範囲の請求項２ないし５に係る発明について、次に掲げる証拠（甲第１号証）を提出し、本件請求項２ないし５に係る発明は、その証拠に記載された発明と同一であるから、特許法第２９条の２の規定により、特許を受けることができないものである。
　したがって、本件請求項２ないし５に係る特許を取り消すべきである旨の主張をしている。
　甲第１号証：特開平４−２３４７９４号公報（本件特許掲載公報の参考文献と同じ）
　甲第１号証に記載された発明
「従来、演奏しているリズムのテンポを変化させる自動伴奏装置としては（中略）自動
的にテンポを遅くするもの（中略）ある。また（中略）リタルダンドスイッチを予め操作しておいて、フィルインスイッチを操作すると、フィルインパターンのリズムのテンポが予め定めた割合で徐々に遅くなり、フィルインパターンの演奏が終了すると、自動的に元のテンポに戻る。（中略）しかし、このような自動伴奏装置では、テンポは予め定めた割合で変更されるだけであり、テンポを変更している時間やテンポの変化量を自由に変更することができないという問題点があった。（中略）本発明は、上記の問題点を解決することを目的（段落【０００２】ないし【０００４】を参照）とした
「各種の正規リズムパターンを記憶する手段と、上記リズムパターンの任意の１つを選んで、これを所定のテンポで演奏する手段と、テンポ変化の大きさに関する第１の情報を発生する手段と、テンポ変化の時間に関する第２の情報を発生する手段と、上記第１および第２の情報に基いて、上記演奏のテンポを変化させる制御手段とを含む、自動伴奏装置」（【特許請求の範囲】の【請求項１】を参照）
　また、所定のテンポで演奏が行なわれている状態でフィルイン挿入スイッチ２１ｌを操作すると、フィルインパターンが演奏され、しかもそのテンポが徐々に遅くなる。この遅くなる状態をテンポと読出しフラグ数との関係で示したのが図９である。以下、この図９を参照しながら、テンポが遅くなる状態について説明する。フィルインスイッチ２１ｌが時点(1) で操作されると、制御部２２は現在演奏中のリズムの次の１小節の１拍目、即ち時点Ａでフィルインパターンの演奏を開始する。（段落【００３３】【００３４】を参照）時点Ｌに達すると、レジスタＦＣの値が１６となり、フィルインパターンを全て読出したので、レジスタＳＴＰの値にレジスタＤＴＰの値を書き込み、初期に設定されたテンポに戻す。（段落【００３９】を参照）こと」
　
第３　本件請求項２に係る発明と甲第１号証に記載された発明との対比・検討
　本件請求項２に係る発明と甲第１号証に記載された発明とを対比して、検討すると、甲第１号証に記載された発明は、本件請求項２に係る発明における次に掲げる主要な事項を備えていない。
　「テンポ信号の時間間隔をテンポ制御手段によるテンポ変化処理前のテンポ信号の時間間隔に戻すことを指示するテンポ復帰指示手段」及び「テンポ復帰指示手段からの指示に従い、テンポ制御手段による処理を終了させる制御手段」
　この主要な事項を採用することにより、本件請求項２に係る発明は、
　本件明細書段落【０００４】【０００５】に記載の「従来の自動演奏装置は、リタルダンド処理やアッチェレランド処理の終了と同時に演奏テンポをそれらの処理開始前のテンポに戻したい（ア・テンポ）場合に、それらの処理に入る前のテンポ値を演奏者自身が覚えておき、それらの処理が終了すると同時にテンポ設定用操作子を操作して現在のテンポ値を処理前テンポ値に設定し直さなければならなかった。一方、従来の自動演奏装置の中には、リタルダンド処理とフィルイン演奏とを同期させて、フィルイン演奏中のみにリタルダンド処理を有効なものとして扱い、フィルイン演奏中だけ演奏テンポを徐々に遅くしていき、フィルイン演奏の終了と同時に演奏テンポをリタルダンド処理前のテンポに戻す（ア・テンポ）という動作を行うものがある。しかしながら、これはリタルダンド処理がフィルイン処理と同期せずに単独で行われた場合には、演奏テンポをリタルダンド処理前のテンポに戻す（ア・テンポ）という動作を行わないために、やはり上述と同様に処理終了と同時にテンポ設定用操作子を操作して現在のテンポ値を処理前テンポ値に設定し直さなければならないという欠点」を解決し、
　段落【０００６】に記載の「この発明は上述の点に鑑みてなされたものであり、リタルダンド処理やアッチェレランド処理等のように演奏途中で演奏テンポを変化させるテンポ変化処理が行われた場合でも、その演奏テンポを演奏開示時のテンポ値又はテンポ変化処理前のテンポ値に戻すことのできる自動演奏装置を提供することを目的」を達成し、
　段落【００７１】に記載の「所定のテンポ変更演奏時間の途中であっても、そのテンポ変更処理を随時終了させることができるので、アッチェレランドやリタルダンド等のテンポ漸増または漸減処理の時間を操作者の意志でリアルタイムに制御することができることとなり、テンポ変化の形態をユーザーが制御できるので、演奏形態の自由度を高めることができる」という効果を奏するものである。
　これに対して、甲第１号証には、この主要な事項を示唆する記載もなされていない。
　したがって、本件請求項２に係る発明は、甲第１号証に記載された発明と同一のものとは認められない。
　また、本件請求項３ないし５に係る発明は、本件請求項２に係る発明を引用する発明であるから、甲第１号証に記載された発明と同一のものとは認められない。
　
第４　特許異議申立人の主張についての検討
　異議申立人は、申立の理由の中で「本件発明の効果として、「所定のテンポ変更演奏時間の途中であっても、そのテンポ変更処理を随時終了させることができるので」と記載されており、あたかも、テンポ復帰指示手段が、テンポ変更中に操作されるものかのように記載されているが、請求項２では、テンポ復帰指示手段について、「テンポ変化処理前のテンポ信号の時間間隔に戻すことを指示する」ことしか記載されてなく、その指示をどの時点で与えるかについては限定されていない。従って、甲第１号証に記載されているような、テンポ変化処理前に、その指示を与えることも含むものである。」と主張しているので、これについて検討する。
　上記第３で検討したように、本件請求項２に係る発明の主要な事項は「テンポ信号の時間間隔をテンポ制御手段によるテンポ変化処理前のテンポ信号の時間間隔に戻すことを指示するテンポ復帰指示手段」及び「テンポ復帰指示手段からの指示に従い、テンポ制御手段による処理を終了させる制御手段」で、特に「テンポ制御手段による処理を終了させる」ところの「テンポ制御手段」は、本件請求項２に記載されているように「テンポ変化指示手段の指示に応じてテンポ信号発生手段の発生するテンポ信号の時間間隔を次第に変化させるもの」であるから、「このものによる処理を終了させる」ところの「制御手段」は、「所定のテンポ変更演奏時間の途中であっても、そのテンポ変更処理を随時終了させることができるもの」といえる。
　したがって、テンポ復帰指示手段は、テンポ変更中に操作されるものであるから、「その指示をどの時点で与えるかについては限定されていない。」との申立人の主張は、本件請求項２の記載に基づかない主張であって、採用できない。
　また、甲第１号証に示されている図９の動作について、検討すると、フィルイン挿入スイッチ２１ｌが時点(1) で操作されると、時点Ａでフィルインパターンの演奏を開始し、設定された時間幅１６の時点Ｌに達すると、初期に設定されたテンポに戻しているが、時点Ｌにおいては、操作は行われていない。すなわち、フィルイン挿入スイッチ２１ｌの操作は、本件請求項２に係る発明におけるテンポ変化指示手段に対応するが、本件請求項２に係る発明の主要な事項における「テンポ復帰指示手段」による時点Ｌでの操作は行われていない。
　したがって、甲第１号証に示されている図９の動作と本件請求項２に係る発明の一部の動作が類似するとしても、その動作を実現するための手段が異なるから、「本件請求項２に係る発明は、甲第１号証に記載されているような、テンポ変化処理前に、その指示（時間幅１６）を与えることも含むものである。」との申立人の主張は、本件請求項２の記載に基づかない主張であって、採用できない。
　
第５　むすび
　以上、本件特許異議申立の理由及び証拠によっては、本件請求項２ないし５に係る特許を取り消すことはできない。
　また、他に本件請求項２ないし５に係る特許を取り消すべき理由を発見しない。
　よって、結論のとおり決定する。
【異議決定日】
平成１３年４月１７日（２００１．４．１７）